(57)【特許請求の範囲】
【請求項１】
物質（Ｐ）を毛、特に睫毛又は眉毛に塗布する器具であって、アプリケータ要素（3;30;40;50;60;70;80;90;100;300;400）を備えた軸（4 ）を有し、前記アプリケータ要素は、支持体及び少なくとも１つの壁（14;31;51;62;72;81;91）を有し、前記壁は、その長さの少なくとも一部にわたって支持体に連結された第１の側部及び第１の側部と反対側に位置していて、切欠きが設けられたアプリケータ縁部（16;32;53;64;74;82;107 ）を備える第２の側部を有し、切欠きの底部は、支持体から０ではない距離のところに位置しており、前記少なくとも１つの壁は、前記支持体の前側部分と後側部分の相互間、又は、前記支持体の２つの側方部分の相互間に延びていることを特徴とする器具。
【請求項２】
塗布されるべき物質を収容した容器（6 ）及びアプリケータ要素が容器を出る際にアプリケータ要素を拭うワイパー部材（7;7'）を有していることを特徴とする請求項１記載の器具。
【請求項３】
アプリケータ要素（3 ）は、軸の一端に固定され、軸の他端は、容器（6 ）を密閉するためのキャップにもなる取っ手部材（5 ）を備えていることを特徴とする請求項２記載の器具。
【請求項４】
アプリケータ要素は、成形法により単一部品として作られていることを特徴とする請求項１〜３のうち何れか一に記載の器具。
【請求項５】
アプリケータ要素は、アプリケータの軸に取り付けられていることを特徴とする請求項１〜４のうち何れか一に記載の器具。
【請求項６】
アプリケータ要素は、アプリケータの軸と一体に形成されていることを特徴とする請求項１〜４のうち何れか一に記載の器具。
【請求項７】
前記壁は、その高さの全て又は一部にわたって、アプリケータの前側及び後側部分又は側方部分に連結されていることを特徴とする請求項１〜６のうち何れか一に記載の器具。
【請求項８】
前記壁（14）は、実質的に平らであることを特徴とする請求項１〜７のうち何れか一に記載の器具。
【請求項９】
前記壁（91）は、折畳み状態にあることを特徴とする請求項１〜７のうち何れか一に記載の器具。
【請求項１０】
前記壁の厚さは、支持体の厚さよりも小さく、物質が溜まることのできるキャビティ（17）が支持体の上に形成されていることを特徴とする請求項１〜９のうち何れか一に記載の器具。
【請求項１１】
前記壁（31）は、枝分かれ部（32,33 ）を有していることを特徴とする請求項１〜１０のうち何れか一に記載の器具。
【請求項１２】
前記枝分かれ部（32,33 ）は、互いに異なる向きの状態にあることを特徴とする請求項１〜１１のうち何れか一に記載の器具。
【請求項１３】
前記枝分かれ部（32,33 ）は各々、物質を睫毛に塗布するための切欠きを備えた縁部を有していることを特徴とする請求項１１又は１２記載の器具。
【請求項１４】
アプリケータ要素は、物質を塗布するための複数の縁部を有し、前記縁部は、髪が塗布中、前記縁部のうち少なくとも２つに接触できるように配置されていることを特徴とする請求項１〜１３のうち何れか一に記載の器具。
【請求項１５】
支持体は、中心からずれて位置しており、支持体の前側部分及び後側部分又は側方部分を相互に連結するリンク部分（15）を有し、前記壁（14）は、前記部分相互間に延びていることを特徴とする請求項１〜１４のうち何れか一に記載の器具。
【請求項１６】
支持体（71）は、中心に位置しており、支持体の前側部分及び後側部分又は側方部分を相互に連結するリンク部分（61）を有し、前記壁は、前記部分相互間に延びていることを特徴とする請求項１〜１４のうち何れか一に記載の器具。
【請求項１７】
アプリケータ要素は、支持体の前側部分及び後側部分又は側方部分を相互に連結する複数の壁（72）を有し、前記壁は各々、物質を睫毛に塗布するためのギザギザ又はクギ状突起（74）が設けられた縁部を有していることを特徴とする請求項１６記載の器具。
【請求項１８】
物質を塗布するのに役立つ縁部又は各縁部は、支持体の前側部分（11）及び後側部分（12）をこれらに当接した状態で相互に連結する包絡面（Ｅ）の内側に実質的に納まっていることを特徴とする請求項１〜１７のうち何れか一に記載の器具。
【請求項１９】
アプリケータ要素は、前記壁（81）の各側部に設けられた２列の歯（83）を有していることを特徴とする請求項１〜１８のうち何れか一に記載の器具。
【請求項２０】
アプリケータ要素は、アプリケータ要素を断面で見て朝顔の形をなして設けられた複数の壁（31,32,33）を有し、前記壁は各々、髪をくしけずることができる少なくとも１つの縁部を有していることを特徴とする請求項１〜１９のうち何れか一に記載の器具。
【請求項２１】
朝顔の形をなして設けられた前記壁は、毛が塗布中、２つの隣り合う縁部に同時に接触することができるように配置されていることを特徴とする請求項２０記載の器具。
【請求項２２】
アプリケータ要素は、物質を睫毛に塗布するための歯又はクギ状突起を備えた２つの縁部を有し、前記歯又はクギ状突起は好ましくは、支持体の長手方向軸線に沿って軸方向にずれていることを特徴とする請求項１〜２１のうち何れか一に記載の器具。
【請求項２３】
アプリケータ要素（300 ）は、前記支持体（314 ）の平面の一方の側及びこれと反対の側で交互に外方に湾曲した歯又はクギ状突起（319）を支持した壁を有していることを特徴とする請求項１〜２２のうち何れか一に記載の器具。
【請求項２４】
前記壁（114 ）は、軸方向自由端部（114a,114b ）を有していることを特徴とする請求項１〜２３のうち何れか一に記載の器具。
【請求項２５】
前記壁（214 ）は、橋渡し部（217 ）を介して支持体に連結され、前記橋渡し部の間には、物質が溜まることができる隙間（218 ）が形成されていることを特徴とする請求項１〜２４のうち何れか一に記載の器具。
【請求項２６】
アプリケータの縁部は、軸の軸線に実質的に平行な方向に延びていることを特徴とする請求項１〜２５のうち何れか一に記載の器具。
【請求項２７】
軸の断面は円形であることを特徴とする請求項１〜２６のうち何れか一に記載の器具。
【請求項２８】
軸の長さは、３cm以上であり、取っ手部材の長さは、３cm以上であることを特徴とする請求項１〜２７のうち何れか一に記載の器具。
【請求項２９】
取っ手部材は、スカートを有し、軸は、前記スカート内に延びていることを特徴とする請求項１〜２８のうち何れか一に記載の器具。
【請求項３０】
スカートには雌ねじが設けられていることを特徴とする請求項１〜２９のうち何れか一に記載の器具。
【請求項３１】
軸の少なくとも一部の断面は大きさがアプリケータ要素の断面以下であることを特徴とする請求項１〜３０のうち何れか一に記載の器具。
【請求項３２】
軸には、容器への締結に役立つ逃げ部が設けられていることを特徴とする請求項１〜３１のうち何れか一に記載の器具。
【請求項３３】
支持体は断面で見て、アプリケータの縁部を構成する壁の形状とは異なる形状を有していることを特徴とする請求項１〜３２のうち何れか一に記載の器具。
【請求項３４】
支持体は、軸の長手方向軸線と同一の方向に細長い形状を有していることを特徴とする請求項１〜３３のうち何れか一に記載の器具。
【請求項３５】
前記壁は、前記壁の幅よりも大きな幅を有する支持体の部分相互間に位置していることを特徴とする請求項１〜３４のうち何れか一に記載の器具。
【請求項３６】
前記壁は長手方向に延び、前記壁は、前記長手方向に垂直な平面内において、各々断面が前記壁の形状とは異なる形状を有する支持体の部分相互間に位置していることを特徴とする請求項１〜３５のうち何れか一に記載の器具。
【発明の詳細な説明】
【０００１】
【発明の属する技術分野】
本発明は、化粧品又はヘアケア製品の形態の物質を角質繊維又は「毛」、特に睫毛又は眉毛に塗布する器具であって、物質を塗布するための要素を備えた支持体を有するアプリケータ要素を備えた器具に関する。
【０００２】
【従来の技術及び発明が解決しようとする課題】
上記タイプの多くの器具が知られている。
【０００３】
一般に、ユーザが化粧中のアプリケータ部材の再充填をあまり頻繁に行う必要がないようにするために比較的多量の物質を拾い上げることができるアプリケータ部材が要望されている。
【０００４】
列状に並んだ歯を有する公知のアプリケータ部材では、歯相互間に保持される物質の量は、歯の間隔で決まる。
【０００５】
かくして、睫毛を掴むことができるようにするために歯が互いに比較的密接したままでなければならないことを考慮すると、アプリケータ部材によって拾い上げることができる物質の量には制限がある。
【０００６】
本発明の目的は、睫毛をくしけずることができ、しかも満足の行くやり方で睫毛の表面上に物質を伸ばすことができ、さらに使い勝手がよく、しかもあまり頻繁に再充填する必要のない新規なアプリケータを提供することにある。
【０００７】
【課題を解決するための手段】
本発明はこの目的を、アプリケータ要素が少なくとも１つの壁を有し、壁が、その長さの少なくとも一部にわたって支持体に連結された第１の側部及び第１の側部と反対側に位置していて、切欠きが設けられたアプリケータ縁部を備える第２の側部を有し、切欠きの底部が、支持体から０ではない距離のところに位置しており、前記少なくとも１つの壁は、前記支持体の前側部分と後側部分の相互間、又は、前記支持体の２つの側方部分の相互間に延びているという構成上の特徴によって達成する。
【０００８】
本発明では、物質は、支持体と切欠きの底部との間に延びる壁の部分上に溜まるようになることができ、それにより物質の供給源となる。これにより、アプリケータの使用時間を長くすることができ、しかも、毛を掴み、物質をその表面上に延ばし、適宜毛を曲げることができる。
【０００９】
特定の実施形態では、塗布器具は、塗布されるべき物質を収容した容器及びアプリケータ要素が容器を出る際にアプリケータ要素を拭うワイパー部材を有している。
【００１０】
アプリケータ要素は有利には成形法により一体に形成され、例えばエラストマー材料で作られる。
【００１１】
アプリケータ要素を、アプリケータの軸に取り付けられる別個の部品によって構成してもよい。
【００１２】
一例を挙げると、これにより、アプリケータ要素、アプリケータの軸を構成するのに用いられるプラスチック材料よりも可撓性の高いプラスチック材料で作ることができ、かくして、アプリケータは特に使い勝手がよくなる。
【００１３】
変形例として、アプリケータ要素をアプリケータの軸と一体に形成してもよい。
【００１４】
上述の壁は実質的に平らであっても、折畳み状態であってもよい。
【００１５】
折り目が設けられていることにより、毛に対するくしけずり作用が促進される。
【００１６】
また、これにより、物質を受け入れるのに適した壁の表面領域が広くなり、かくして、再充填相互間におけるアプリケータの使用時間が長くなる。
【００１７】
折り目線は好ましくは、支持体の長手方向軸線に垂直である。
【００１８】
特定の実施形態では、物質を塗布する壁は、その高さの全て又は一部にわたって、アプリケータの前側及び後側部分又は側方部分に連結されている。
【００１９】
壁の厚さは好ましくは、支持体の厚さよりも小さく、物質が溜まることのできる隙間が支持体の上に形成されている。
【００２０】
物質を塗布するための壁は有利には、エラストマー材料で作られ、それにより、アプリケータ要素に高い可撓性又は曲げやすさが与えられる。
【００２１】
特定の実施形態では、壁は、枝分かれ部を有し、枝分かれ部は、互いに異なる向きの状態にあるのがよい。
【００２２】
有利には、枝分かれ部は各々、物質を睫毛に塗布するための切欠きを備えた縁部を有している。
【００２３】
アプリケータ要素は、物質を塗布するための複数の縁部を有し、縁部は、髪が塗布中、前記縁部のうち少なくとも２つに接触できるように配置されている。
【００２４】
支持体は、支持体の前側部分及び後側部分又は側方部分を相互に連結する複数の壁を有するのがよく、壁は各々、物質を睫毛に塗布するギザギザ又はクギ状突起を備えた縁部を有する。
【００２５】
特定の実施形態では、物質を塗布するのに役立つ縁部又は各縁部は、支持体の前側部分及び後側部分をこれらに当接した状態で相互に連結する包絡面の内側に実質的に納まっている。
【００２６】
さらに特定の実施形態では、アプリケータ要素は、壁の各々に設けられていて、物質を塗布する２列の歯を有し、これら歯は任意的に、軸方向にずらされ、これらを軸方向にずらした場合、好ましくは互い違いの形に配置される。
【００２７】
アプリケータ要素は、アプリケータ要素を断面で見て朝顔の形をなして設けられた複数の壁を有し、壁は各々、髪をくしけずることができる少なくとも１つの縁部を有している。
【００２８】
朝顔の形をなして設けられた壁は、毛が塗布中、２つの隣り合う縁部に同時に接触することができるように配置されている。
【００２９】
アプリケータ要素が物質を睫毛に塗布するための歯又はクギ状突起を備えた２つの縁部を有する場合、歯又はクギ状突起は好ましくは、支持体の長手方向軸線に沿って軸方向にずれている。
【００３０】
物質を塗布するための壁を、アプリケータ要素が連結されている軸の軸線に平行に差し向けるのがよいが、変形例として、かかる軸線に対して横方向に差し向けてもよい。
【００３１】
物質を塗布するための壁は、その平面内に位置し又はこれから突出したクギ状突起を更に有するのがよい。
【００３２】
特に、アプリケータ要素は、支持体の平面の一方の側及びこれと反対の側で交互に外方に湾曲した歯又はクギ状突起を支持した壁を有するのがよい。
【００３３】
アプリケータ要素は、物質を塗布するための壁を有するのがよく、壁は、軸方向自由端部を有する。
【００３４】
アプリケータ要素は、橋渡し部を介して支持体に連結された壁を更に有するのがよく、橋渡し部の間には、物質が溜まることができる隙間が形成される。
【００３５】
特定の実施形態では、アプリケータの縁部は、軸の軸線に実質的に平行な方向に延びる。
【００３６】
軸の断面は円形である。
【００３７】
軸の長さは例えば３cm以上であり、取っ手部材の長さも又、３cm以上であるのがよい。
【００３８】
取っ手部材は、スカートを有するのがよく、軸は、スカート内に延びる。スカートには雌ねじが設けられている。
【００３９】
特定の実施形態では、軸の少なくとも一部の断面は大きさがアプリケータ要素の断面以下である。
【００４０】
軸には、容器への締結に役立つ逃げ部が設けられている。
【００４１】
支持体は断面で見て、アプリケータの縁部を構成する壁の形状とは異なる形状を有するのがよい。
【００４２】
支持体は、軸の長手方向軸線と同一の方向に細長い形状を有するのがよい。
【００４３】
上述の壁は、この壁の幅よりも大きな幅を有する支持体の部分相互間に位置するのがよい。
【００４４】
壁は長手方向に延びている場合、壁は、長手方向に垂直な平面内において、各々断面が前記壁の形状とは異なる形状を有する支持体の部分相互間に位置している。
【００４５】
本発明の他の特徴及び利点は、添付の図面を参照して非限定的な実施形態についての以下の詳細な説明を読むと明らかになろう。
【００４６】
【発明の実施の形態】
図１及び図２に示す包装及び塗布用器具１は、軸又はステム４を備えたアプリケータ２を有し、軸４は、一端にアプリケータ部材３を備え、他端に取っ手部材５を備えている。
【００４７】
器具１は、物質Ｐ、例えばマスカラを受け入れる容器又は受け具６を更に有し、この容器６は、アプリケータ部材３を容器から引き抜いている間にアプリケータ部材３を拭うワイパー部材７を備えている。
【００４８】
ワイパー部材７を、図２に示すようにフォームで作るのがよく、あるいは変形例として、図３に示すようにワイパー部材は、エラストマーリップ又は舌部７′を有していてもよい。
【００４９】
この場合、軸は、リップ７′の縁部と合致する位置を占める細い又は括れた領域を有し、これにより、非使用状態において軸がワイパーリップを圧縮しないようにすることが有利である。
【００５０】
取っ手部材５は、容器６を密閉するキャップにもなっている。
【００５１】
今説明している実施形態では、アプリケータ部材３は、長手方向軸線Ｘに沿って全体として細長い形状をした支持体８を有している。
【００５２】
この場合、軸線Ｘは、軸４の軸線と一致している。
【００５３】
変形例として、軸線Ｘは、人間工学的に一層優れたアプリケータを得るために軸４の軸線と角度をなしていてもよい。
【００５４】
図４は、アプリケータ部材３の斜視図である。
【００５５】
支持体８は、これがワイパー部材７を通過しやすいようにする形状になった前側部分１１及び後側部分１２を備えている。
【００５６】
今説明している実施形態では、前側部分１１と後側部分１２を相互に連結する支持体８の剛性又は半剛性のリップ部分又はコア１５は、中心からずれて位置しており、前側部分１１及び後側部分１２は、支持体８の上側だけから延びている。
【００５７】
前側部分１１及び後側部分１２は、実質的に平らであって互いに平行であり、しかも軸線Ｘに垂直な互いに向かい合った面１１ａ，１２ａをそれぞれ有している。
【００５８】
支持体８は、軸４の一端に形成されたハウジング又は収納部９内に挿入される端部品１３を前側部分１１から見て反対側に有している。
【００５９】
アプリケータ部材３は、支持体８上で且つその前側部分１１と後側部分１２との間に平らな壁１４を有し、この壁は、一方の側部がリンク部分１５に連結され、その反対側の側部にギザギザ付き縁部１６を備えている。
【００６０】
壁１４の厚さは、リンク部分１５の厚さよりも相当小さく、したがって、アプリケータ要素３は、壁１４の各側に設けられていて、リンク部分１５の上に位置するそれぞれのキャビティ１７を備えるようになっており、これらキャビティは、物質Ｐを溜めるのに適している。
【００６１】
アプリケータ要素０３はかくして、物質を睫毛につける際に役に立つ物質Ｐの貯留部を備えている。
【００６２】
ギザギザ付きの縁部１６は、比較的多数の歯１９を形成しており、歯１９相互間に形成された切欠き２０の底部２１は、リンク部分１５から０ではない距離のところに位置している。
【００６３】
切欠きの底部２１とリンク部分１５との間に或る程度の壁の高さを設けることにより、アプリケータ要素は、歯が当たっていても或る程度の長さの時間の間、使用し続けることができる。
【００６４】
切欠きを設けることにより、物質を睫毛の表面上に満足の行くやり方で広げると共にこれらを掴むことができ、これは毛を曲げるのに特に有利になる。
【００６５】
今説明している実施形態では、壁１４は、その高さ全体にわたって面１１ａ，１２ａの各々に連結されている。
【００６６】
図５に示す本発明の変形実施形態では、壁１４に代えて、壁１１４が用いられており、この壁１１４は、リンク部分１５だけに連結されていて、面１１ａ，１２ａから間隔を置いて位置した軸方向端部１１４ａ，１１４ｂを有している。
【００６７】
これにより、横方向の可撓性が高くなる。
【００６８】
図６に示す実施形態では、壁１１４に代えて壁２１４が用いられており、この壁２１４は、橋渡し部２１７によってリンク部分１５に連結されており、かかる橋渡し部の間には隙間２１８が形成されている。
【００６９】
上述の実施形態では、歯１９は、壁１４，１１４又は２１４と同一平面内に位置している。
【００７０】
壁を例えば図７に示すように歯が連結されている壁の平面の各側で交互に外方に傾けることは、本発明の範囲から逸脱しない。
【００７１】
この図は、歯１９に代えて歯３１９が用いられ、これら歯がこれらを支持している壁３１４の一方の側と他方の側に交互に湾曲している点において、図４を参照して説明したアプリケータ部材とは異なるアプリケータ部材３００を示している。
【００７２】
図８は、歯１９のテーパした頂部に代えて、クギ状突起４０１が用いられ、各クギ状突起が、この実施形態の場合に丸い端部と共に断面が実質的に円形の円筒形本体を有している点において、図４に示すアプリケータ要素とは異なるアプリケータ要素４００を示している。
【００７３】
図９及び図１０は、中央壁３１及びその両側に位置した頂壁３２と底壁３３を備えたアプリケータ要素３０を示しており、この組立体の断面は、図１０で分かるように全体として朝顔の形をしている。
【００７４】
この実施形態のアプリケータ要素は、これを構成する種々の壁３１，３２，３３相互間に比較的多量の物質Ｐを収容することができ、それにより、物質を睫毛に塗布しやすくなると共にアプリケータの使用期間が一段と長くなる。
【００７５】
睫毛に付着させた物質を、壁３２，３３のギザギザ付き縁部３４，３５によって睫毛上に効果的に伸ばすことができる。
【００７６】
図１１及び図１２は、頂縁部４２にギザギザのついた壁４１により頂壁５２相互間で中央部分３１が延長されている点において、上述のアプリケータ部材とは異なるアプリケータ部材４０を示している。
【００７７】
物質は、壁３２，３３相互間、更に上述の実施形態の場合と同様、壁３２，４１相互間に溜まることができる。
【００７８】
睫毛Ｃは、上述の壁相互間に保持された物質に接触した際に物質をピックアップすることができるが、この場合、過度の物質が睫毛Ｃに付着することはない。というのは、睫毛は、図１２に示すようにこれら壁のギザギザ付き縁部の歯相互間を通るからである。
【００７９】
図１３及び図１４は、実質的に垂直な壁５１及びその各側に設けられた２つの水平な壁５２を有するアプリケータ要素５０を示しており、この組立体は全体として、図１４で分かるように十字形の断面を呈している。
【００８０】
各壁５１，５２は、ギザギザ付きの外側縁部５３，５４を備え、組立体全体は、前側部分１１及び後側部分１２を、これらに当接した状態で互いにつなぐ包絡面Ｅの内側に納まっており、ギザギザ付き縁部５３，５４の歯は、この包絡面からほんのわずか突出している。
【００８１】
塗布中、睫毛は、垂直の壁５１の頂縁部５３と側縁部５４のうちの一つに同時に接触することができる。
【００８２】
図１５は、特に、支持体がこの場合、中心からずれているのではなく中心に位置したリンク部分６１を有し、このリンク部分６１の直径方向反対側には、２つの壁６２が設けられ、各壁６２が一方の側部６３を介してリンク部分６１に連結され、各壁６２がギザギザのついた反対側の自由縁部６４を備えている点において、上述のアプリケータ要素とは異なるアプリケータ要素６０を示している。
【００８３】
図１５の実施形態では、アプリケータ要素６０は、歯を備えた２つの壁６２を有しているだけである。
【００８４】
図１５及び図１６の実施形態では、アプリケータ要素７０は、中央リンク部分７１及びこの周りに等角度間隔に分布して配置された複数の壁７２を有し、各壁は、リンク部分７１に連結された一縁部７３及び歯を備えたこれと反対側の縁部７４を有し、アプリケータ要素はかくして一種のブラシを構成している。
【００８５】
アプリケータ要素が歯を備えた壁を有し、歯相互間には底部が支持体から或る距離を置いて位置した切欠きが設けられ、さらにアプリケータ要素が、壁の一方の側部又は両方の側部から突出すると共に支持体又は上記壁に連結された要素、例えば歯、クギ状突起などを有することは本発明の範囲から逸脱しない。
【００８６】
一例を挙げて説明すると、図１８は、ギザギザ付きの自由縁部８２及びその各側に位置したそれぞれ列をなす歯８３を備えた平らな壁８１を有するアプリケータ要素の一部を示しており、図示の実施形態の２列の歯は、軸方向にずれていない。
【００８７】
歯８３は、壁８１よりも背が高い。
【００８８】
当然のことながら、歯８３の列を軸方向にずらすこと、例えば歯の列を互い違いに配置することは本発明の範囲から逸脱しない。
【００８９】
アプリケータ要素は、図１９に示すように折畳み状態の壁を有していてもよい。
【００９０】
この図は、支持体８の前側部分１１と後側部分１２との間に位置した折畳み状態の壁９１を有するアプリケータ要素９０を示しており、折り目９２が、歯相互間に形成された切欠きの高い箇所と低い箇所との間に位置している。
【００９１】
折り目９２を設けることにより、睫毛のくしけずり作用を促進させることができると共に物質を拾い上げることができるアプリケータ要素の表面領域を広くすることができる。
【００９２】
今説明している実施形態では、折り目９２は、支持体表面に対して垂直に延び、これら折り目は、支持体表面に垂直に且つこの場合、前側部分１１及び後側部分１２に実質的に平行に連結されている。
【００９３】
図２０は、アプリケータの軸の一端に連結されていて、２つの側方部分１０２，１０３を備えた支持体１０１を有するアプリケータ要素１００を示している。
【００９４】
支持体１０１よりも厚さの小さい壁１０４が、軸の軸線に垂直な軸線Ｘ′に沿って側方部分１０２，１０３相互間に延びている。
【００９５】
壁１０４は、支持体１０１から遠ざかる方向に向いた縁部のところに、歯１０７相互間に形成された切欠き１０６を有している。
【００９６】
切欠き１０６の底部は、支持体１０１から０ではない距離のところに位置している。
【００９７】
当然のことながら、本発明は上述の実施形態には限定されない。
【００９８】
具体的に説明すると、更に別の形をした１又は２以上の壁を有するアプリケータ部材を構成することができる。
【図面の簡単な説明】
【図１】本発明の第１の実施形態を構成する包装及び塗布用器具の斜視図であり、器具が開き位置で示されている図である。
【図２】図１の器具の軸方向断面図である。
【図３】ワイパー部材の変形例を単独で示す図である。
【図４】図１０の器具のアプリケータ要素を単独で示す斜視図である。
【図５】本発明の第２の実施形態としてのアプリケータ要素を単独で示す斜視図である。
【図６】本発明の第３の実施形態としてのアプリケータ要素を単独で示す斜視図である。
【図７】本発明の第４の実施形態としてのアプリケータ要素を単独で示す斜視図である。
【図８】本発明の第５の実施形態としてのアプリケータ要素を単独で示す斜視図である。
【図９】本発明の第６の実施形態としてのアプリケータ要素を単独で示す斜視図である。
【図１０】図９のＸ−Ｘ線矢視断面図である。
【図１１】図９と類似した斜視図であり、本発明の第７の実施形態としてのアプリケータ要素を単独で示す図である。
【図１２】図１１のＸＩＩ−ＸＩＩ矢視断面図である。
【図１３】図９と類似した斜視図であり、本発明の第８の実施形態としてのアプリケータ要素を単独で示す図である。
【図１４】図１３のＸＩＶ−ＸＩＶ線矢視断面図である。
【図１５】本発明の第９の実施形態としてのアプリケータ要素の側面図である。
【図１６】本発明の第１０の実施形態としてのアプリケータ要素の斜視図である。
【図１７】図１６のＸＶＩＩ−ＸＶＩＩ線矢視断面図である。
【図１８】本発明の第１１の実施形態としてのアプリケータ要素の斜視図である。
【図１９】本発明の第１２の実施形態としてのアプリケータ要素の斜視図である。
【図２０】本発明の第１３の実施形態としてのアプリケータ要素の斜視図である。
【符号の説明】
１  包装及び塗布用器具
２  アプリケータ
３  アプリケータ要素
４  軸又はステム
５  取っ手部材
６  容器又は受け具
８  支持体
９  ハウジング又は収納部
１４  平らな壁
１６  ギザギザ付き縁部
【図１】
0003679026.tif 000002
【図２】
0003679026.tif 000003
【図３】
0003679026.tif 000004
【図４】
0003679026.tif 000005
【図５】
0003679026.tif 000006
【図６】
0003679026.tif 000007
【図７】
0003679026.tif 000008
【図８】
0003679026.tif 000009
【図９】
0003679026.tif 000010
【図１０】
0003679026.tif 000011
【図１１】
0003679026.tif 000012
【図１２】
0003679026.tif 000013
【図１３】
0003679026.tif 000014
【図１４】
0003679026.tif 000015
【図１５】
0003679026.tif 000016
【図１６】
0003679026.tif 000017
【図１７】
0003679026.tif 000018
【図１８】
0003679026.tif 000019
【図１９】
0003679026.tif 000020
【図２０】
0003679026.tif 000021